(57)【要約】【課題】  乾燥時の騒音の小さい人体乾燥装置を提供する。【解決手段】  洗浄水で洗浄された人体局部に向かって空気を噴射する乾燥ノズル２４と、乾燥ノズルに開閉弁２５を介して接続し、加圧された高圧空気を蓄える蓄圧タンク２３ａと空気を加圧する加圧手段２２とを有する蓄圧手段２３と、乾燥ノズルから噴射した空気騒音等を軽減する消音手段４７とを備えたもので、乾燥ノズル２４から高圧空気を噴出した時、噴射音が発生する。この噴射音は、便器１と便座２の隙間４９等から漏れ騒音となるが、便器１の近傍に設けた消音手段４７によって低減され、使用者やトイレ外に居る人達が不快になることがなくなる。【選択図】  図1
2005083064.tif 000002
【特許請求の範囲】
【請求項１】
洗浄水で洗浄された人体局部に向かって空気を噴射する乾燥ノズルと、前記乾燥ノズルに開閉弁を介して接続し、加圧された高圧空気を蓄える蓄圧タンクと空気を加圧する加圧手段とを有する蓄圧手段と、前記乾燥ノズルから噴射した空気騒音等を軽減する消音手段とを備えた人体乾燥装置。
【請求項２】
前記消音手段は、便器と便座の間に形成された隙間に臨まして前記便器と便座の少なくとも一方に設けた空間部で構成した請求項１に記載の人体乾燥装置。
【請求項３】
前記空間部は、内部に吸音材を配置した請求項２に記載の人体乾燥装置。
【請求項４】
前記消音手段は、便器と便座の間に形成された隙間に設けた遮音部で構成した請求項１に記載の人体乾燥装置。
【請求項５】
前記消音手段は、乾燥ノズルより発生する噴射音と逆位相の音波を作る音源と拡声器と音波の発生のタイミングを制御する制御器で構成した請求項１に記載の人体乾燥装置。
【請求項６】
音源と拡声器と制御器を有する消音手段は、乾燥ノズルの噴射と音波の発生を同期させた請求項５に記載の人体乾燥装置。
【請求項７】
前記拡声器は、乾燥ノズルと相対向させて便器前部に設けた請求項５または請求項６に記載の人体乾燥装置。
【請求項８】
前記拡声器は、便座に設けた請求項５または請求項６に記載の人体乾燥装置。
【発明の詳細な説明】
【技術分野】
【０００１】
本発明は、例えばシャワーや衛生洗浄便座等に適用される衛生洗浄装置で洗浄後の人体局部の乾燥等に使用する人体乾燥装置に関するものである。
【背景技術】
【０００２】
従来の衛生洗浄装置（例えば特許文献１参照）を図９（ａ）、（ｂ）に示す。１は便器で、上面に便座２とその便座蓋３が設けてある。そして、衛生洗浄装置の本体ケース４は、便座２の後方において横長に配置されている。５は本体ケース４内に設けた乾燥用の温風吹出装置で、７は風路６を介して温風吹出装置５に通じる温風吹出口である。８は用便後の人体局部に洗浄水を噴射して洗浄を行う衛生洗浄装置の洗浄水噴射ノズルで、９は水洗タンク（ロータンク）で、Ａは便座２に着座した人体である。
【０００３】
１１は本体ケース４内に設けた衛生洗浄装置の洗浄水送水用ポンプで、１２は洗浄水を暖める温水タンクである。１３は本体ケース４内に設けた空気圧縮機で、１４は高圧空気溜めで、１５は電磁弁である。１６は便座２内に設けた空洞で、高圧ホース１７で電磁弁１５に接続されている。１８は便座２の空洞１６に連通して便座２の内周面に臨ました多数の空気噴出ノズルである。
【０００４】
人体Ａが便座２に着座し用便等の後、衛生洗浄装置の洗浄操作を行うと、洗浄水送水用ポンプ１１が稼働し、温水タンク１２を通して洗浄水噴射ノズル８より温水が人体Ａの局部である被洗浄面に噴射され、これにより被洗浄面を洗浄する。そして、洗浄後は圧縮空気による乾燥操作により空気圧縮機１３が稼働して高圧空気溜め１４に空気が蓄圧され、電磁弁１５、高圧ホース１７、空洞１６および空気噴出ノズル１８を通して高圧空気が図９（ａ）、（ｂ）に点線で示すように被洗浄面に噴出し、被洗浄面に付着した水滴を吹き飛ばし拡散させる。次に、温風乾燥の操作指示により温風吹出装置５を稼働させ風路６を通して温風吹出口７より４０度前後の温風を被洗浄面に吹き出し被洗浄面の乾燥を行い完了する。
【０００５】
このような人体の局部を洗浄する衛生洗浄装置においては、使用者の好みに応じた洗浄を実現すべく各種の機能が案出されてきた。そして使用者は、各種機能を用いた衛生洗浄装置を用いて局部洗浄を行い、トイレットペーパー等の紙により局部に付着した水滴の除去を行っていた。近年、トイレットペーパー等の紙の代替として、上記したような温風乾燥装置が用いられている。
【０００６】
臀部等の被洗浄面を洗浄水により洗浄後、多量の水が付着した臀部を乾燥する場合、水滴を高圧空気で吹き飛ばすことなく温風乾燥装置により温風乾燥するとき、水が薄い水膜状になっている部分では比較的速やかに乾燥されるが、水滴状になって残留付着した部分は温風を長時間吹きつけないと乾燥せず、そのため時間がかかり過ぎ、長時間温風を当てることにより臀部に炎症の起こる可能性がある。
【０００７】
そこで、上記したように空気圧縮機１３を設けて空気噴出ノズル１８により高速の噴流を噴射させ、残留付着した水滴を吹き飛ばし拡散させると、細かな水滴または薄い水膜状になるので、その後に温風乾燥すると、濡れた被洗浄面の全体を短時間で万遍なく乾燥することができる。しかし、水滴を吹き飛ばすには、空気噴出ノズル１８より高速の空気噴流を噴射する必要があり、その噴射音も必然的に大きくなり、夜間や集合住宅では乾燥時の騒音がより顕著になるという問題があった。
【特許文献１】特開昭５８ー２１８５３１号公報
【発明の開示】
【発明が解決しようとする課題】
【０００８】
前記背景技術の問題点に鑑み、本発明が解決しようとする課題は、局部の乾燥時の騒音を軽減した人体乾燥装置を提供することにある。
【課題を解決するための手段】
【０００９】
前記の課題を解決するために、本発明の人体乾燥装置は、洗浄水で洗浄された人体局部に向かって空気を噴射する乾燥ノズルと、前記乾燥ノズルに開閉弁を介して接続し、加圧された高圧空気を蓄える蓄圧タンクと空気を加圧する加圧手段とを有する蓄圧手段と、前記乾燥ノズルから噴射した空気騒音等を軽減する消音手段とを備えたものである。
【００１０】
これによって、乾燥時における高圧空気の噴射音は消音手段で消音され、噴射音の小さい使用環境の良好な人体乾燥装置を提供することができる。
【発明の効果】
【００１１】
以上のように本発明の人体乾燥装置は、乾燥時の騒音で使用者やトイレ外の人達が不快になることのない騒音の小さい人体乾燥装置を提供することができる。
【発明を実施するための最良の形態】
【００１２】
第１の発明は、洗浄水で洗浄された人体局部に向かって空気を噴射する乾燥ノズルと、前記乾燥ノズルに開閉弁を介して接続し、加圧された高圧空気を蓄える蓄圧タンクと空気を加圧する加圧手段とを有する蓄圧手段と、前記乾燥ノズルから噴射した空気騒音等を軽減する消音手段とを備えたものである。
【００１３】
これによって、乾燥時における高圧空気の噴射音は消音手段で消音され、噴射音の小さい人体乾燥装置にできる。
【００１４】
第２の発明は、第１の発明における消音手段を、便器と便座の間に形成された隙間に臨まして前記便器と便座の少なくとも一方に設けた空間部で構成したもので、乾燥ノズルから噴射した空気騒音が便器、便座の外に逃げる際に空間部を通過することにより音波を乱し、エネルギーを減少させることで、外部に漏れる音を小さくすることができるとともに、便器と便座の少なくとも一方を利用しての構成なので、かかるコストも安価にできる。
【００１５】
第３の発明は、第２の発明で特定した空間部に吸音材を配置したもので、吸音材により空気振動との摩擦で音のエネルギーが大幅に減少し、外部に漏れる音を更に小さくすることができる。
【００１６】
第４の発明は、第１の発明における消音手段を、便器と便座の間に形成された隙間に設けた遮音部で構成したもので、これにより便器内部で発生した噴射音を遮音部で遮断し外部に漏れる音を軽減することができる。
【００１７】
第５の発明は、第１の発明における消音手段を、乾燥ノズルより発生する噴射音と逆位相の音波を作る音源と拡声器と音波の発生のタイミングを制御する制御器で構成したもので、これにより噴射音を発生元から無くすことができ、人体と便座の隙間から漏れる音も無くすことができる。
【００１８】
第６の発明は、第５の発明における制御器で、乾燥ノズルの噴射と音波の発生を同期させたもので、これにより逆位相の音波による騒音を無くすことができる。
【００１９】
第７の発明は、第５または第６の発明における拡声器を乾燥ノズルと相対向させて便器前部に設けたもので、これにより音の発生源に相対向した位置から逆位相の音波を発生することができ効率よく消音することができる。
【００２０】
第８の発明は、第５または第６の発明における拡声器を便座に設けたもので、人体乾燥装置に消音手段をすべて設けることができ、人体乾燥装置の便器への設置が容易になる。
【００２１】
以上のように本発明の人体乾燥装置は、第１から第８の発明を実施の形態の要部とすることにより本発明の目的を達成できるので、以下には各請求項に対応する実施の形態の詳細を、図面を参照して説明し本発明を実施する最良の形態の説明とする。なお、各図において同一構成及び作用効果を奏するところには同一符号を付与して重複した説明を行わないものとする。
【００２２】
（実施の形態１）
図１は、本発明の実施の形態１における人体乾燥装置を示す斜視図である。図１において、１は内部を便器ボール１ａにした便器で、上面にリング状の便座２とその便座蓋３とを載せている。そして、用便後の人体の局部を洗浄水で洗う衛生洗浄装置の本体ケース４は、便座２の後方に設けて一体として横長に配置されている。
【００２３】
この本体ケース４の内部には、洗浄水を加熱する加熱手段およびその温水を圧送する送水ポンプ（図示せず）を設け、送水ポンプに人体を洗浄する洗浄ノズル１０を接続し、洗浄ノズル１０を便器ボール１ａに出没自在に配設している。すなわち、洗浄ノズル１０は洗浄時に便器ボール１ａの後部より中央方向に向けて突出するようにしている。水道管に給水元弁を介して加熱手段に水を給水して加熱し、この温水を送水ポンプで洗浄ノズル１０に圧送して、洗浄ノズル１０から被洗浄面に噴射し、これにより洗浄が行われる。
【００２４】
また衛生洗浄装置は、洗浄後の被洗浄面を乾燥するため、被洗浄面に残留付着した水滴を高圧空気により吹き飛ばして飛散または拡散させる、次に述べる人体乾燥装置と、温風乾燥装置３１を設けている。
【００２５】
人体乾燥装置は、衛生洗浄装置の本体ケース４に設けられた乾燥ノズル２４と、本体ケース４外に設けられて乾燥ノズル２４に接続される蓄圧手段２３とを備え、蓄圧手段２３は便器１の側方の適所に配置され、本体ケース４の乾燥ノズル２４と配管４５により接続され、また本体ケース４（衛生洗浄装置）の制御部（図示せず）と配線４６により接続されている。蓄圧手段２３は、乾燥ノズル２４に開閉弁２５を介して接続し、加圧された高圧空気を蓄える蓄圧タンク２３ａと空気を加圧する加圧手段２２とを有する。
【００２６】
乾燥ノズル２４は、洗浄後の人体の被洗浄面に残留付着した水滴に高圧空気を噴射して飛散または拡散させ、乾燥させるものであり、乾燥時に便器ボール１ａ内の中央寄りに突出して被洗浄面に略垂直に高圧空気を噴出する。この場合、乾燥ノズル２４は公知の手段、例えばモータによる駆動や水圧駆動により、伸縮または折り畳み可能に構成して乾燥時に便器ボール１ａ内の中央寄りに移動させる。また乾燥ノズル２４からの噴出は開閉弁２５、例えば電磁弁により制御される。
【００２７】
温風乾燥装置３１は、温風を発生するファン及び電気ヒータ（図示せず）等の温風吐出手段と、発生した温風を被洗浄面に向けて噴出するノズル３１ａからなる。４０はトイレ室の壁に配設した電源のコンセントで、４１はコンセント４０に接続される衛生洗浄装置の受電部である。
【００２８】
４２は衛生洗浄装置、人体乾燥装置、温風乾燥装置３１の操作パネルで、４３はリモコン操作器である。リモコン操作器４３は、送信信号を操作パネル４２等に設けた受信部で受信させることにより、制御部により操作パネル４２を直接操作したのと同様に遠隔操作可能にしている。
【００２９】
４７は以下に述べる実施の形態２から実施の形態８の消音手段で、人体乾燥装置の乾燥ノズル２４から高圧空気が噴出する時に発生する噴射音等を音源の近くで消音するように便器２の近傍に設けている。すなわち、便器１と便座２との間には、一般的に隙間４９が形成されており、乾燥ノズル２４からの高圧空気の噴射音は、使用者が着座している便座３の開口部から漏れ出る前に隙間４９から騒音となって漏れ出るので、便器１の近傍において消音手段４７が効率的に消音するものである。図中、９は便器１内の汚物を流す洗浄水を供給する水洗タンクである。
【００３０】
以上のように構成された人体乾燥装置について、以下その動作、作用を説明する。便座蓋３を開き便座２に着座し、用便等の後に操作パネル４２またはリモコン操作器４３を操作して、まず洗浄が行われる。これは上記したように給水元弁が開き水道水が加熱手段に供給されて加熱され、便器ボール１ａ内に突出した洗浄ノズル１０から送水ポンプにより送られた洗浄水が噴出し被洗浄面を洗浄する。
【００３１】
次に人体乾燥装置を操作し、高圧空気を被洗浄面に吹きつけて水滴を吹き飛ばして拡散する。すなわち、加圧手段２２の動作により蓄圧手段２３に高圧空気を溜め、開閉弁２５を開いて蓄圧手段２３から乾燥ノズル２４に高圧空気を送り、乾燥ノズル２４から高圧空気を洗浄後の人体の被洗浄面に残留付着した水滴に噴射して飛散または拡散させる。その後または人体乾燥装置の動作と同時に温風乾燥装置３１を操作し、ノズル３１ａから温風を被洗浄面に噴出させて温風乾燥させる。
【００３２】
このように乾燥ノズル２４から高圧空気を噴出した時、噴射音が騒音となって発生し、この噴射音が便器１と便座２の隙間４９等から騒音となって漏れ出るのである。然るに本実施の形態では、便器１の近傍に設けた消音手段４７によって乾燥ノズル２４から噴射した高圧空気の噴射音が消音されて低減され、使用者やトイレの外に居る人達が不快になることのない噴射音の小さい人体乾燥装置を提供することができる。
【００３３】
（実施の形態２）
図２は、本発明の実施の形態２における人体乾燥装置の要部を示す断面図である。本実施の形態は、実施の形態１の発明で示した消音手段４７の具体的な構成の一例を示したもので、実施の形態１と異なるところを中心に説明する。図２において、４８は、便器１と便座２の間の隙間４９に臨まして便器１と便座２の両方の面を、相対向させて凹状に窪ませて形成した空間部で、これにより実施の形態１でいう消音手段４７を構成するものである。従って、上下の空間部４８は便器１内の乾燥ノズル２４から噴射する高圧空気における噴射音の隙間４９の通過に対し、入口４８ａ、内部４８ｂ、出口４８ｃの配置となる。
【００３４】
上記実施の形態において、便座２に着座しての用便後における人体の局部の洗浄水による洗浄と、この洗浄により濡れた局部の被洗浄面の乾燥は、衛生洗浄装置および人体乾燥装置、温風乾燥装置３１により、実施の形態１で説明したと同じ動作で行われる。
【００３５】
そして、人体乾燥装置の乾燥ノズル２４から発生する高圧空気の噴射音は、隙間４９より便器１および便座２の外部に漏れ出る前に、空間部４８を通過する間に噴射音が消音され軽減されるのである。一般に音は空気の疎密波で伝搬し、波形が整っていて振幅が大きいほど音のエネルギーが大きく騒音が大きくなる。
【００３６】
従って、乾燥ノズル２４から発生する高圧空気の噴射音の音波は、空間部４８の内部４８ｂに入る前に入口４８ａで絞られ、かつ内部４８ｂに入って急激に膨張し、空間部４８の内部４８ｂで複雑に反射して整っていた波形が乱されて打消し合い消音され、再び出口４８ｃで絞られ、空間部４８の出口４８ｃからは一部だけ外に漏れることになり、音のエネルギーが小さくなって、噴射音が低減されることになる。また、消音手段を、便器１と便座２に設けた空間部４８で構成することにより、安価に実現できる。
【００３７】
なお、上記実施の形態では空間部４８を、便器１と便座２の両方に設けたが、本発明の目的を達成できる範囲で便器１と便座２の少なくと一方にだけ空間部を設けても良いものである。
【００３８】
（実施の形態３）
図３は、本発明の実施の形態３における人体乾燥装置の要部を示す断面図である。本実施の形態は、実施の形態１の発明で示した消音手段４７の具体的な構成の一例を示したもので、実施の形態１および２と異なるところを中心に説明する。図３において、実施の形態２で説明した空間部４８内に、吸音材５０を設けたものである。
【００３９】
上記実施の形態において、便座２に着座しての用便後における人体の局部の洗浄水による洗浄と、この洗浄により濡れた局部の被洗浄面の乾燥は、衛生洗浄装置および人体乾燥装置、温風乾燥装置３１により、実施の形態１で説明したと同じ動作で行われる。そして、人体乾燥装置の乾燥ノズル２４から発生する高圧空気の噴射音が、隙間４９より便器１および便座２の外部に漏れ出る前に、空間部４８を通過する間に消音され軽減される空間部４８の動作、作用も実施の形態２で説明したと同様である。
【００４０】
さらに本実施の形態では、空間部４８内に吸音材５０を設けたので、本来、空間部４８の内部４８ｂで反射する音が吸音材５０により吸収され、空間部４８の出口４８ｃから漏れ出る音のエネルギーが更に小さくなり、噴射音を大幅に低減することができる。
【００４１】
（実施の形態４）
図４は、本発明の実施の形態４における人体乾燥装置を示す断面図である。本実施の形態は、実施の形態１の発明で示した消音手段４７の具体的な構成の一例を示したもので、実施の形態１と異なるところを中心に説明する。図４において、消音手段４７としての遮音部５１は、便器１と便座２の隙間４９を閉塞して設けたものである。
【００４２】
上記実施の形態において、便座２に着座しての用便後における人体の局部の洗浄水による洗浄と、この洗浄により濡れた局部の被洗浄面の乾燥は、衛生洗浄装置および人体乾燥装置、温風乾燥装置３１により、実施の形態１で説明したと同じ動作で行われる。そして、人体乾燥装置の乾燥ノズル２４から発生する高圧空気の噴射音が、隙間４９より便器１および便座２の外部に漏れ出る前に、乾燥ノズル２４から発生する高圧空気の噴射音は隙間４９を閉塞した遮音部５１により遮断され、隙間４９を通過して外部に漏れる音がなくなる。また、遮音部５１は前記騒音を低減する他に、人体の局部を洗浄した洗浄水が飛散しても遮音部５１に当たり、隙間４９を通過して便器１の外部が汚染されるのを防止する効果もある。
【００４３】
（実施の形態５）
図５は、本発明の実施の形態５における人体乾燥装置を示す斜視図である。本実施の形態は、実施の形態１の発明で示した消音手段４７の具体的な構成の一例を示したもので、実施の形態１と異なるところを中心に説明する。
【００４４】
図５において、音源５２、拡声器５３、制御器５４で以って、実施の形態１でいう消音手段４７を構成している。そして、音源５２は乾燥ノズル２４より発生する噴射音と逆位相の音波を作る信号源である。拡声器５３は、音源５２からの信号で噴射音と逆位相の音波を発生させるもので、便座２の下部で乾燥ノズル２４に音波が向くように設けている。制御器５４は、音波の発生のタイミングを、乾燥ノズル２４より発生する噴射音にあわせて制御するものである。
【００４５】
上記実施の形態において、便座２に着座しての用便後における人体の局部の洗浄水による洗浄と、この洗浄により濡れた局部の被洗浄面の乾燥は、衛生洗浄装置および人体乾燥装置、温風乾燥装置３１により、実施の形態１で説明したと同じ動作で行われる。そして、人体乾燥装置の乾燥ノズル２４から高圧空気が噴出し、噴射音が便器１、便座２内に発生する。この人体乾燥装置の乾燥時のタイミングを制御器５４が検知して音源５２を制御するので、高圧空気を噴射している乾燥ノズル２４に向かって拡声器５３から逆位相の音波が発生する。
【００４６】
これにより、高圧空気の噴射音である連続した音波の山、すなわち空気の密度が高い部分に拡声器５３からの逆位相の連続した音波の谷、すなわち空気の密度が低い部分が重ね合わされ、次に高圧空気の噴射音である音波の谷の部分に、拡声器５３からの逆位相の音波の山の部分が重ね合わされ、このような作用が連続して行われることにより空気の密度が均一化されて、音にならなくなり消音され、乾燥ノズル２４から発生する高圧空気の噴射音が、隙間４９より便器１および便座２の外部に漏れ出るのが軽減される。
【００４７】
以上のように本実施の形態では、便座と便器との隙間から漏れる音はもちろん、便座と人体の間から漏れる音も無くし、安価に消音性能を向上させるという効果が得られる。
【００４８】
また、従来は発生する騒音が変化すると、その騒音源に対し逆位相の音波を作る音源も演算や制御機能により、騒音源の変化に応じた音波を発生させる構成が必要であり、コスト高になっていた。然るに本実施の形態では、乾燥ノズル２４から噴出する高圧空気の圧力を一定にすることで、噴射音の波形を固定し、音源５２の制御器５４には演算や制御機能を省き安価に構成することができる。
【００４９】
（実施の形態６）
図６は、本発明の実施の形態６における人体乾燥装置を示すブロック図である。本実施の形態は、実施の形態１の発明で示した消音手段４７の具体的な構成の一例を示したもので、実施の形態１および５と異なるところを中心に説明する。
【００５０】
図６において、実施の形態５で説明した実施の形態１でいう消音手段４７を構成している音源５２、拡声器５３、制御器５４において、人体乾燥装置の開閉弁２５と音源５２と制御器５４を接続し、開閉弁２５が開くと同時に、これを検知して音源５２を同期させて動作させる制御器５４の構成にしたものである。
【００５１】
上記実施の形態において、便座２に着座しての用便後における人体の局部の洗浄水による洗浄と、この洗浄により濡れた局部の被洗浄面の乾燥は、衛生洗浄装置および人体乾燥装置、温風乾燥装置３１により、実施の形態１で説明したと同じ動作で行われる。そして、人体乾燥装置の乾燥ノズル２４から高圧空気が噴出し、噴射音が便器１、便座２内に発生するが、この高圧空気を噴射している乾燥ノズル２４に向かって拡声器５３から逆位相の音波が発生し、前記噴射音を打ち消す作用は実施の形態５で説明したと同じようにして行われるものである。
【００５２】
特に本実施の形態では、人体乾燥装置の乾燥開始時のタイミングを、開閉弁２５の開成により制御器５４が同期して検知し音源５２を制御するので、乾燥ノズル２４からの高圧空気の噴射音の発生と、拡声器５３からの逆位相の音波の発生を同期させることができ、乾燥ノズル２４からの高圧空気の間欠的な噴射においても効率的に消音することができる。
【００５３】
（実施の形態７）
図７は、本発明の実施の形態７における人体乾燥装置を示す縦断面図である。本実施の形態は、実施の形態１の発明で示した消音手段４７の具体的な構成の一例を示したもので、実施の形態１および５と異なるところを中心に説明する。図７において、実施の形態５および６で説明した実施の形態１でいう消音手段４７を構成している音源５２、拡声器５３、制御器（図示せず）において、拡声器５３を人体乾燥装置の乾燥ノズル２４に相対向させて便器１の前部に配置したものである。
【００５４】
上記実施の形態において、便座２に着座しての用便後における人体の局部の洗浄水による洗浄と、この洗浄により濡れた局部の被洗浄面の乾燥は、衛生洗浄装置および人体乾燥装置、温風乾燥装置３１により、実施の形態１で説明したと同じ動作で行われる。そして、人体乾燥装置の乾燥ノズル２４から高圧空気が噴出し、噴射音が便器１、便座２内に発生するが、この高圧空気を噴射している乾燥ノズル２４に向かって拡声器５３から逆位相の音波が発生し、前記噴射音を打ち消す作用は実施の形態５で説明したと同じようにして行われるものである。
【００５５】
特に、本実施の形態では騒音の発生源である乾燥ノズル２４に相対向した位置の拡声器５３から逆位相の音波を発生することができ効率よく消音することができる。また、この拡声器５３の位置は使用者から死角になり、拡声器５３を目立つことなく配置できる効果も得られる。
【００５６】
（実施の形態８）
図８は、本発明の実施の形態８における人体乾燥装置を示す断面図である。本実施の形態は、実施の形態１の発明で示した消音手段４７の具体的な構成の一例を示したもので、実施の形態１および５と異なるところを中心に説明する。図８において、実施の形態５および６で説明した実施の形態１でいう消音手段４７を構成している音源５２、拡声器５３、制御器（図示せず）において、拡声器５３を人体乾燥装置の乾燥ノズル２４に相対向させて便座２の前部に配置したものである。
【００５７】
上記実施の形態において、便座２に着座しての用便後における人体の局部の洗浄水による洗浄と、この洗浄により濡れた局部の被洗浄面の乾燥は、衛生洗浄装置および人体乾燥装置、温風乾燥装置３１により、実施の形態１で説明したと同じ動作で行われる。そして、人体乾燥装置の乾燥ノズル２４から高圧空気が噴出し、噴射音が便器１、便座２内に発生するが、この高圧空気を噴射している乾燥ノズル２４に向かって拡声器５３から逆位相の音波が発生し、前記噴射音を打ち消す作用は実施の形態５で説明したと同じようにして行われるものである。
【００５８】
特に、本実施の形態では、拡声器５３を便座２に設けたので、衛生洗浄装置、温風乾燥装置、人体乾燥装置を内装し、便座２の後部に横長に一体に配置している本体ケース４に、消音手段４７を構成している音源５２、制御器も設置してコンパクトに構成することができ、本体ケース４の便器１への設置が容易になる。
【００５９】
また、音源５２と拡声器５３の接続線５３ａを便座２の内部に通すことにより、外部から配線が見えず商品の外観がよくなるとともに信頼性も向上する。更に、便器１内に設置した時と比較して、汚染度合が少ないという効果も得られる。
【産業上の利用可能性】
【００６０】
以上のように本発明の人体乾燥装置は、乾燥時に人体に向かって噴射する高圧空気の噴射音を小さくでき、衛生洗浄装置に組み合わせて使用できるとともに、乾燥時の騒音低減だけでなく、洗浄時に発生する騒音低減にも利用できる。
【図面の簡単な説明】
【００６１】
【図１】本発明の実施の形態１における人体乾燥装置の斜視図
【図２】同実施の形態２における人体乾燥装置の要部の断面図
【図３】同実施の形態３における人体乾燥装置の要部の断面図
【図４】同実施の形態４における人体乾燥装置の要部の断面図
【図５】同実施の形態５における人体乾燥装置の斜視図
【図６】同実施の形態６における人体乾燥装置のブロック図
【図７】同実施の形態７における人体乾燥装置の縦断面図
【図８】同実施の形態８における人体乾燥装置の縦断面図
【図９】（ａ）従来の衛生洗浄装置を備えた便器の部分断面図（ｂ）は同衛生洗浄装置を備えた便器の平面図
【符号の説明】
【００６２】
１  便器
２  便座
４  本体ケース
２２  加圧手段
２３  蓄圧手段
２３ａ  蓄圧タンク
２４  乾燥ノズル
２５  開閉弁
４７  消音手段
４８  空間部
４９  隙間
５０  吸音材
５１  遮音部
５２  音源
５３  拡声器
５４  制御器
【図１】
2005083064.tif 000003
【図２】
2005083064.tif 000004
【図３】
2005083064.tif 000005
【図４】
2005083064.tif 000006
【図５】
2005083064.tif 000007
【図６】
2005083064.tif 000008
【図７】
2005083064.tif 000009
【図８】
2005083064.tif 000010
【図９】
2005083064.tif 000011